(57)【要約】【課題】ワッシャ又は螺子とワッシャとの組み合わせに係る締着具において締着後螺子の緩みを確認し、検知できること。【解決手段】ワッシャ20が金属製バネ材から成形され、その底面部21の略中央部には螺子10の軸部11が挿通する貫通穴25を設け、前記底面部21の周縁には４つの被覆片23を設け、各被覆片23と底面部21との接続部22に湾曲部設けることによって、底面部21が所定高さ位置に保持される。これにより螺子10を締着することにより、螺子頭部裏面がワッシャの底面部21を押圧して、被覆片23の先端部が集束し、螺子10の頭部13を被覆する。他方、螺子10の頭部13の表面に着色を施し、前記螺子10の締着が緩んだ際には、被覆片23の先端部が開き、前記螺子10の着色部分を視認して締着具の緩みを検知することができる。【選択図】図２
2012047215.tif 000002
【特許請求の範囲】
【請求項１】
各種ボルト・ナット等の螺子と共に使用して緩み止め用として用いるワッシャにおいて、
このワッシャ(20)が金属製バネ材から成形され、その底面部(21)の略中央部には螺子(10)の軸部(11)が挿通する貫通穴(25)が設けられ、前記底面部(21)の周縁には少なくとも１つの被覆片(23)が設けられ、
この被覆片(23)と前記底面部(21)との接続部(22)に湾曲部又は折り返し部を設けることによって、底面部(21)が所定高さ位置に保持されることとなり、
これにより各種ボルト・ナット等の螺子(10, 12)を締着することによって、ボルト等の螺子(10)の頭部裏面又はナット等の螺子(12)の一方の面がワッシャ(20)の底面部(21)を押圧することにより、前記被覆片(23)がボルト等の螺子(10)の頭部又はナット等の螺子(12)を被覆するする方向に傾倒することができ、
前記螺子(10, 12)の締着が緩んだ際には、被覆片(23)が被覆方向と逆方向に移行して、傾倒していた被覆片(23)の傾倒角度が大きくなることによって、螺子(10, 12)の緩みを検知することができることを特徴とする緩み検知機能付きワッシャ。
【請求項２】
各種ボルト・ナット等の螺子とワッシャとからなる１組の締着具において、
前記ワッシャ(20)が金属製バネ材から成形され、その底面部(21)の略中央部には螺子(10)の軸部(11)が挿通する貫通穴(25)が設けられ、前記底面部(21)の周縁には少なくとも１つの被覆片(23)が設けられ、
この被覆片(23)と前記底面部(21)との接続部(22)に湾曲部又は折り返し部を設けることによって、底面部(21)が所定高さ位置に保持されることとなり、
これにより各種ボルト・ナット等の螺子(10, 12)を締着することによって、ボルト等の螺子(10)の頭部裏面又はナット等の螺子(12)の一方の面がワッシャ(20)の底面部(21)を押圧することにより、前記被覆片(23)がボルト等の螺子(10)の頭部又はナット等の螺子(12)を被覆するする方向に傾倒することができ、
前記螺子(10, 12)の締着が緩んだ際には、被覆片(23)が被覆方向と逆方向に移行して、傾倒していた被覆片(23)の傾倒角度が大きくなることによって、螺子の緩みを検知することができることを特徴とする緩み検知機能付き締着具。
【請求項３】
各種ボルト・ナット等の螺子とワッシャとから成る１組の締着具において、
前記ワッシャ(20)が金属製バネ材から成形され、その底面部(21)の略中央部には螺子(10)の軸部(11)が挿通する貫通穴(25)が設けられ、前記底面部(21)の周縁には２以上の被覆片(23)が設けられ、
それぞれの被覆片(23)と底面部(21)との接続部(22)に湾曲部又は折り返し部を設けることによって、底面部(21)が所定高さ位置に保持されることとなり、
これにより各種ボルト・ナット等の螺子(10, 12)を締着することによって、ボルト等の螺子(10)の頭部裏面又はナット等の螺子(12)の一方の面がワッシャ(20)の底面部(21)を押圧することにより、被覆片(23)の先端部がボルト等の螺子(10)の頭部又はナット等の螺子(12)を被覆する方向に傾倒してボルト等の螺子(10)の頭部又はナット等の螺子(12)を被覆することができ、
他方、ボルト等の螺子(10)の頭部(13)の表面又はナット等の螺子(12)の他方の面(14)に着色を施すことにより、前記螺子(10, 12)の締着が緩んだ際には、被覆片(23)の先端部が広がり、前記螺子(10, 12)の着色部分を視認することができることにより、締着具の緩みを検知することができることを特徴とする緩み検知機能付き締着具。
【請求項４】
前記被覆片(23)が底面部(21)の相対向する略対称位置に２つ設けられ、それぞれの被覆片(23)の先端部分には適宜角度で２つの折曲部(26, 26, 27, 27)を設け、螺子(10, 12)を締着した際にそれぞれの被覆片(23)の先端がボルト等の螺子(10)の頭部又はナット等の螺子(12)を被覆する方向に傾倒して、それぞれの被覆片(23)の折曲部(26, 26)が他方の被覆片(23)の折曲部(27, 27)に重ね合わされることを特徴とする請求項２又は３に記載の緩み検知機能付き締着具。
【請求項５】
前記被覆片(23)のそれぞれの先端部分を切り欠いて切欠部(23k) を設け、螺子(10, 12)を締着してそれぞれの被覆部(23)の先端がボルト等の螺子(10)の頭部又はナット等の螺子(12)を被覆する方向に傾倒した際に、前記切欠部(12k, 12k)の間から螺子(10)の軸部(11)が外部に突出することを特徴とする請求項２又は３に記載の緩み検知機能付き締着具。
【発明の詳細な説明】
【技術分野】
【０００１】
本発明は、各種ボルト・ナット等の螺子に用いる緩み止めワッシャと、このワッシャと螺子とから成る１組の締着具に関し、より詳しくは螺子が緩んだ際に、その緩みを検知できるものに関する。
【背景技術】
【０００２】
従来の締着具としては、以下の特許文献に開示されたものを挙げることができる。
特許文献１に記載のものは、ボルト・ナットの頭部を工具によって掴めなくし、ボルト・ナットを締結物から容易に取り外すことを防止するものである。
その構成は、ボルト頭部又はナットを空回りする防犯カバーで覆うものであり、この防犯カバーの一例としては、円筒体形状を有し、その一方端に内側方向に突出する突出部を設けたものからなり、この突出部を例えば緩止めナットの下端の環状溝部に遊嵌し、その後円筒体の他端側を緩止めナットの側にカシメて、緩止めナットを被覆するものである。
これにより、防犯カバーが緩止めナットの外側で、緩止めナットを覆いつつ、空回りし、工具によっても容易には緩止めナット等を取り外すことができないものとなる。
【０００３】
特許文献２に記載のものは、羽付きピンと保護羽付きワッシャからなる締着具であり、このワッシャにおいては、ピンとの係止機能を有すると共に、ピンの軸部の先端側（頭部と反対側）を被覆することができる羽が設けられ、軸部先端の突出又は突起を保護するものである。
【先行技術文献】
【特許文献】
【０００４】
【特許文献１】特開２０００−３９０１２号公報
【特許文献２】実用新案登録第３１１９０７０号公報
【発明の概要】
【発明が解決しようとする課題】
【０００５】
上記従来の締着具においては、その一方がボルトの頭部やナットを覆って、そのボルトやナットの取り外しを防御するものであり、その他方は、ストッパーである締着具のピンの軸部先端を覆って、その突出を防御するものであった。
本発明においては、まず第一にボルト・ナット等の螺子に用いるワッシャ及びこのワッシャと螺子との組み合わせに係る締着具において、被固定物品を締着固定した後に、ボルト又はナット等の螺子の緩みを確認できること、その緩みを目で確認し、検知できることをその課題としている。
そして更に、締着されたボルト・ナット等の螺子が悪戯や違法行為となるような盗難や取り外し行為を防止する機能をも併せ持たせることも本発明の課題となる。
また、上記のような機能を果たす中心的役割を担うワッシャにおいては、緩み止めの機能を有することは当然の前提となる。
【課題を解決するための手段】
【０００６】
上記課題を解決するために、本発明の第１のものは、各種ボルト・ナット等の螺子と共に使用して緩み止め用として用いるワッシャにおいて、このワッシャが金属製バネ材から成形され、その底面部の略中央部には螺子の軸部が挿通する貫通穴が設けられ、前記底面部の周縁には少なくとも１つの被覆片が設けられ、この被覆片と前記底面部との接続部に湾曲部又は折り返し部を設けることによって、底面部が所定高さ位置に保持されることとなり、これにより各種ボルト・ナット等の螺子を締着することによって、ボルト等の螺子の頭部裏面又はナット等の螺子の一方の面がワッシャの底面部を押圧することにより、前記被覆片がボルト等の螺子の頭部又はナット等の螺子を被覆するする方向に傾倒することができ、前記螺子の締着が緩んだ際には、被覆片が被覆方向と逆方向に移行して、傾倒していた被覆片の傾倒角度が大きくなることによって、螺子の緩みを検知することができることを特徴とする緩み検知機能付きワッシャである。
ここで、上記「被覆片の傾倒角度」というのは、底面部と被覆片との成す角度を意味する（以下同じである。）。
【０００７】
本発明の第２のものは、各種ボルト・ナット等の螺子とワッシャとからなる１組の締着具において、前記ワッシャが金属製バネ材から成形され、その底面部の略中央部には螺子の軸部が挿通する貫通穴が設けられ、前記底面部の周縁には少なくとも１つの被覆片が設けられ、この被覆片と前記底面部との接続部に湾曲部又は折り返し部を設けることによって、底面部が所定高さ位置に保持されることとなり、これにより各種ボルト・ナット等の螺子を締着することによって、ボルト等の螺子の頭部裏面又はナット等の螺子の一方の面がワッシャの底面部を押圧することにより、前記被覆片がボルト等の螺子の頭部又はナット等の螺子を被覆するする方向に傾倒することができ、前記螺子の締着が緩んだ際には、被覆片が被覆方向と逆方向に移行して、傾倒していた被覆片の傾倒角度が大きくなることによって、螺子の緩みを検知することができることを特徴とする緩み検知機能付き締着具である。
【０００８】
本発明の第３のものは、各種ボルト・ナット等の螺子とワッシャとから成る１組の締着具において、前記ワッシャが金属製バネ材から成形され、その底面部の略中央部には螺子の軸部が挿通する貫通穴が設けられ、前記底面部の周縁には２以上の被覆片が設けられ、
それぞれの被覆片と底面部との接続部に湾曲部又は折り返し部を設けることによって、底面部が所定高さ位置に保持されることとなり、これにより各種ボルト・ナット等の螺子を締着することによって、ボルト等の螺子の頭部裏面又はナット等の螺子の一方の面がワッシャの底面部を押圧することにより、被覆片の先端部がボルト等の螺子の頭部又はナット等の螺子を被覆する方向に傾倒してボルト等の螺子の頭部又はナット等の螺子を被覆することができ、他方、ボルト等の螺子の頭部の表面又はナット等の螺子の他方の面に着色を施すことにより、前記螺子の締着が緩んだ際には、被覆片の先端部が広がり、前記螺子の着色部分を視認することができることにより、締着具の緩みを検知することができることを特徴とする緩み検知機能付き締着具である。
【０００９】
本発明の第４のものは、上記第２又は第３の発明において、前記被覆片が底面部の相対向する略対称位置に２つ設けられ、それぞれの被覆片の先端部分には適宜角度で２つの折曲部を設け、螺子を締着した際にそれぞれの被覆片の先端がボルト等の螺子の頭部又はナット等の螺子を被覆する方向に傾倒して、それぞれの被覆片の折曲部が他方の被覆片の折曲部に重ね合わされることを特徴とする緩み検知機能付き締着具である。
【００１０】
本発明の第５のものは、上記第２又は第３の発明において、前記被覆片のそれぞれの先端部分を切り欠いて切欠部を設け、螺子を締着してそれぞれの被覆部の先端がボルト等の螺子の頭部又はナット等の螺子を被覆する方向に傾倒した際に、前記切欠部の間から螺子の軸部が外部に突出することを特徴とする緩み検知機能付き締着具である。
【発明の効果】
【００１１】
本発明の第１のものは、各種ボルト・ナット等の螺子と共に使用して緩み止め用として用いる金属製バネ材から成形されたワッシャであって、その底面部の略中央部には螺子の軸部が挿通する貫通穴が設けられ、前記底面部の周縁には少なくとも１つの被覆片を設け、その被覆片と前記底面部との接続部に湾曲部又は折り返し部を設けることによって、底面部が所定高さ位置に保持されるため、各種ボルト・ナット等の螺子を締め付けることによって、ボルト等の頭部裏面又はナットの一方の面がワッシャの底面部を押圧することにより、被覆片が螺子を被覆する方向に移行し、即ち螺子を被覆する方向に傾倒するように弾性変形し、螺子の締着が緩んだ際には、被覆片の先端部が上方に移行して、傾倒していた被覆片の傾倒角度が大きくなることを目で確認することができ、螺子の緩みを容易に検知することができるのである。
尚、ワッシャは金属製バネ材を使用しているために、緩み止めの機能も併せ持つものである。
【００１２】
本発明の第２のものは、上記第１の発明と同じ効果を発揮するものであって、上記第１の発明に係るワッシャと各種ボルト・ナット等の螺子とを組合せた１組の締着具として特定したものである。  
【００１３】
本発明の第３のものにおいては、各種ボルト・ナットとワッシャ、各種ボルトとワッシャ、又は各種ナットとワッシャとの組合せに係る締着具であって、通常の手順でボルト頭部の下側、又は、ナットの下側にワッシャを介在させてインパクトドライバーやソケットレンチ等の工具により締め付けて使用するものである。
また、本発明におけるワッシャにおいては、その素材として金属製バネ材を用いており、その構成により、即ち底面部とその周縁に設けられた２以上の被覆片との接続部に湾曲部又は折り返し部を設けている関係上、ボルト・ナット等の螺子を工具によって締め付けると、その底面部が押圧されてそれぞれの被覆片の先端部側がボルト等の螺子の頭部又はナット等の螺子を被覆するする方向に傾倒して、相互に集束するように弾性変形するのである。
これにより、被覆片によってボルトの頭部又はナットの部分が被覆されることとなるのである。
【００１４】
逆に、ボルト・ナット等の螺子が緩むと、上記被覆片の先端部は、被覆方向とは逆方向に移行して、それまでの集束状態から開いた状態に移行することとなる。
ボルトの頭部表面又はナットの一方の面には、例えば、黄色や朱色等の目立つ色彩の塗料を塗布して着色が施されており、被覆片の先端が開放してくると、その着色部分を容易に目で見て確認することができ、それ故、ボルト・ナット等の螺子の緩み状態を確認し、検知することができるのである。
【００１５】
更に、ワッシャの底面部の周縁に設けた被覆片は、ボルトの頭部又はナットを被覆することができるので、第三者がこれらボルトやナットを緩めたり、或いはこれらボルトやナットを窃取することからも防御することができることとなる。
勿論、ワッシャは金属製バネ材を使用しているために、緩み止めの機能も併せ持つものである。
【００１６】
本発明の第４のものにおいては、被覆片の先端部に折曲部をそれぞれ２つずつ設け、それぞれの折曲部が他方の被覆片の折曲部に重ね合わせることができるために、より完全に螺子の頭部又はナットを被覆することができる。
また、螺子又はナットが緩んで来た際は、最初はより完全に被覆されていた関係上、両被覆片の開き、或いは螺子又はナットの着色部を直ぐに確認することが可能となる。
【００１７】
本発明の第５のものにおいては、それぞれの被覆片の先端部に切欠部を設けたことにより、本発明に係るワッシャをナットの下面側に配置した際に、これらの切欠部が螺子の軸部をその外部に突出させることができることとなるのである。
即ち、本発明のワッシャは、ナット側に配置して、ボルト等の螺子軸部の先端部の存在に関わらず、この軸部を回避してナットの部分をも被覆することができることとなるのである。
【図面の簡単な説明】
【００１８】
【図１】本発明に係るワッシャの第１の実施形態を図示しており、その（Ａ）が斜視図、その（Ｂ）が側面図、その（Ｃ）がボルトを締着した状態の側面図である。
【図２】本発明に係る締着具の第１の実施形態を図示しており、その（Ａ）がワッシャの展開図、その（Ｂ）が変形前（通常状態）のワッシャの中央縦断面説明図、その（Ｃ）がボルト・ナットが締着されてワッシャの被覆片が変形して集束した状態の中央縦断面説明図（左半図）、その（Ｄ）がワッシャの被覆片が完全に集束した状態の平面図、その（Ｅ）がボルト・ナットが完全に締着される少し前の状態の斜視図である。
【図３】本発明に係る締着具の第２の実施形態の模式図であって、その（Ａ）乃至（Ｅ）により被締着部材に締着する状態を順次図示する。
【図４】本発明の第３の実施形態に係る締着具を示しており、その（Ａ）が締着前の平面図、その（Ｂ）が締着前の正面図、その（Ｃ）が締着後の平面図である。
【図５】本発明の第４の実施形態に係る締着具の締着状態の平面図である。
【図６】本発明の第５の実施形態に係る締着具を示しており、その（Ａ）が締着中間状態の平面図、その（Ｂ）が締着完了状態の正面図、その（Ｃ）が締着完了状態の平面図である。
【図７】本発明の第６の実施形態に係る締着具を示しており、その（Ａ）が締着中間状態の平面図、その（Ｂ）が締着完了状態の正面図、その（Ｃ）が締着完了状態の平面図である。
【発明を実施するための形態】
【００１９】
以下、添付の図面と共に本発明の実施形態について説明する。
図１は、本発明に係るワッシャの第１の実施形態を図示しており、その（Ａ）が斜視図、その（Ｂ）が側面図、その（Ｃ）がボルトを締着した状態の側面図である。
本発明の第１実施形態に係るワッシャ２０は、金属製バネ材から成形されたものであり、その斜視図（Ａ）に図示した通り、中央の略正方形の底面部２１と、底面部２１の一辺に設けられた略矩形形状の被覆部２３と、これら底面部２１と被覆部２３を接続する接続部２２とから成る。
【００２０】
底面部２１の中央部には、ボルト１０の軸部１１が挿通する貫通穴２５が穿設されている。
接続部２２は、（Ｂ）図からよく判る通り、断面形状が略コ字形状の折り返し部から形成されており、この接続部２２と対向する辺側には脚部２９が設けられ、これら接続部２２と脚部２９により、底面部２１は、水平面ｈから所定高さ位置に離隔した状態に維持されることとなる。この状態を、即ち変形前の状態を、（Ｂ）図が図示している。
【００２１】
そして、このワッシャ２０をボルト１０の頭部１３の下面に配置し、軸部１１を被締着物品に螺合して行くと、（Ｃ）図に示したように、被覆片２３の先端部がボルト１０の頭部１３に向かって傾倒して、覆い被さるように変形して行く。
他方、ボルト１０の締着が緩んだ場合には、被覆片２３の先端部が上方に（矢印Ｄの方向に）移行し、少し開いた状態となる。
【００２２】
従って、この被覆片２３の傾倒角度が大きくなることによってその緩みを検知することができることとなる。
少しの緩みであれば、その傾倒角度は小さく、緩みが大きくなれば、その傾倒角度もより大きくなる。
作業者は、これを見て、ボルト・ナット等の螺子の緩みを検知して、再度工具を用いて締め付け直すことができるのである。
【００２３】
ここで、被覆片２３は、この実施形態では、螺子１０の頭部１３をほぼ完全に被覆するように構成したが、この被覆片２３は、螺子頭部１３を完全に被覆しないものであってもよい。
例えば、螺子１０を完全に締め付けた際に、被覆片２３を上方に直立した状態とし、螺子１０が緩んだ際には、被覆片２３が前記直立状態から外側に開き、傾斜した斜めの状態となることを見て、螺子の緩みを検知できるものであってもよいのである。
しかし、螺子締着状態では、ワッシャの被覆片は、出来る限り螺子頭部の側に近接させて置く方が、つまり、図１（Ｃ）の状態の方が、安全性の見地からは望ましいものである。
また、上記実施形態の底面部２１において、被覆片２３が設けられた対向辺にある脚部２９は、これを設けずに実施することも可能である。
【００２４】
図２は、本発明に係る緩み検知機能付き締着具の第１の実施形態を図示しており、その（Ａ）がワッシャの展開図、その（Ｂ）が変形前（通常状態）のワッシャの中央縦断面説明図（ハッチング省略）、その（Ｃ）がボルト・ナットが締着されてワッシャの被覆片が変形して集束した状態の中央縦断面説明図（左半図）、その（Ｄ）がワッシャの被覆片が完全に集束した状態の平面図、その（Ｅ）がボルト・ナットが完全に締着される少し前の状態の斜視図である。
【００２５】
本発明の締着具に係る第１の実施形態は、ボルト１０、ナット１２及びワッシャ２０の３つの構成部材からなる。
ワッシャ２０は、金属製バネ材から成形されたものであり、その展開図（Ａ）に図示した通り、中央の略正方形の底面部２１と、底面部２１の各辺に設けられた略三角形の４つの被覆部２３と、これら底面部２１と被覆部２３を連続する接続部２２とから成る。
【００２６】
底面部２１の中央部には、ボルト１０の軸部１１が挿通する貫通穴２５が穿設されている。
接続部２２は、（Ｂ）図から判る通り、断面形状が湾曲して、底面部２１と被覆片２３とを接続しており、底面部２１は、ボルト１０とナット１２が締め付けられる前の状態、即ち変形前の（Ｂ）図の状態では、水平面ｈから離隔した状態に位置することとなる。
【００２７】
このワッシャ２０をボルト１０の頭部１３の下面に配置し、軸部１１に被締着物品を介在させてナット１２を螺合して行くと、（Ｃ）図に示したように、被覆片２３の先端部がボルト１０の頭部１３に向かって傾倒し、覆い被さるように変形して行く。
ナット１２とボルト１０がほぼ完全に螺合すると、（Ｄ）図に示した通り、４つの被覆片２３、２３、…の先端部が収束して、ボルト頭部が隠れる状態となる。
ボルト１０の頭部１３の表面には例えば黄色等の着色塗料が塗布されている。
尚、本発明では、着色を施さずに実施することも可能である。
【００２８】
（Ｅ）図の状態では、未だ完全にはボルト１０とナット１２の螺合が完全でなく、その少し前の状態を図示している。
（Ｄ）図の状態では、それぞれの被覆片２３が相互に集束して、ほぼ完全にボルト頭部の表面が隠れ、その表面に塗布している塗料による着色部も見えない状態となる。
そして、ボルト・ナットの締着が緩んだ場合には、各被覆片２３の先端部が少し開いた状態となるため、（Ｄ）図の平面図において、その対角線上にボルト頭部表面に着色された例えば、黄色の着色部を視認することができ、その緩みを検知できることとなる。
【００２９】
少しの緩みであれば、その対角線上の黄色のＸは細線で現れ、その緩みが大きくなって来ると、黄色のＸの線は太く現れて来るのである。
作業者は、これを見て、ボルト・ナットの緩みを確認して、再度工具を用いて締め付けることができ、或いは、ワッシャを新しいものと交換して再度締め直すことができるのである。
【００３０】
図３は、本発明の第２の実施形態に係る螺子とワッシャとから成る締着具を被締着部材に締着する状態を順次図示する模式図である。
（Ａ）図においては、被締着部材５０に設けられた螺子孔５１に螺子１０を螺合するのであるが、その際予めワッシャ２０を介在させておく。ワッシャ２０は、前図１に図示したものである。
螺子１０の頭部１３の表面には、上記実施形態と同様に着色が施されている。
【００３１】
（Ｂ）図においては、電動ドライバーに装着されているドライバービットＤの先端を螺子１０の頭部の係合溝部に係合した状態を図示している。
（Ｃ）図においては、前記ドライバービットＤを回転させて螺子１０を締め付けて行くのに応じて、ワッシャ２０の被覆片２３の先端部が傾倒して、それぞれ集束して行く状態を図示している。
【００３２】
（Ｄ）図において、更に螺子１０が締め付けられ、完全に締着された状態を示しているが、未だドライバービットＤは、螺子１０の頭部から離脱されていない。
（Ｅ）図においては、電動ドライバーのドライバービットＤが螺子１０の頭部から離脱され、ワッシャ２０の被覆片２３からも離脱した状態を示しているが、ドライバービットＤがワッシャ２０の外部に抜脱されると、ワッシャ２０の被覆片２３は、それ自身の弾性により元の形状に復帰して、螺子１０の頭部を完全に被覆することとなる。
【００３３】
この図３の模式図に図示した第２の実施形態に係る締着具においては、ナットが使用されておらず、被締着部材５０の螺子孔５１に螺子１０が螺合されるものであり、締着具としては、螺子１０とワッシャ２０の２つの構成部材からなるものである。
この場合にも、螺子１０が緩んで来ると、被覆片２３の先端部が開いて来て、螺子頭部表面に着色された例えば朱色等の着色部分が視認され、その緩みを検知することができるのである。
【００３４】
図４は、本発明の締着具に係る第３の実施形態を示すもので、その（Ａ）が締着前の平面図、その（Ｂ）が締着前の正面図、その（Ｃ）が締着後の平面図である。
この第３の実施形態においては、ボルト１０と、図示はしていないナットと、ワッシャ２０とから成るものである。
この第３の実施形態に係るワッシャ２０は、その展開図を図示はしていないが、その展開図の平面視は、略長方形形状からなるものである。
【００３５】
この略長方形形状の金属製バネ材から成るものの両端部を略直角に起立させて被覆片２３、２３とし、底面部２１の略中央部が上方に膨出するように湾曲させるようにしてその底面部２１の両端部の接続部２２、２２を湾曲形状に成形したものである。
従って、（Ｂ）図から解る通り、底面部２１は、この変形前の状態で、水平面ｈから離隔された状態となる。
【００３６】
底面部２１の中央部にはボルト１０の軸部の貫通穴２５が設けられており、ボルト１０及びナットを締め付けて行くことにより、底面部２１が平面状に変形し、これに伴い被覆片２３、２３の先端部がボルト頭部の側に傾倒して集束して行く。
被覆片２３の先端部には、それぞれ内側方向に折れ曲がる略同一形状の折曲部２６、２６、２７、２７が設けられている。
これら折曲部２６、２７は、被覆部２３のそれぞれの上端部の両角部を三角形に折り曲げたものである。
【００３７】
そして、ボルト１０が締め付けられると、これら被覆片２３、２３は、その先端部が相互に近づくように接近して集束するのであるが、その集束の際に折曲部２６、２６が折曲部２７、２７の上面に、或いは下面に重ね合わさるように集束するのである。
或いは、（Ａ）図において折曲部２６の上方側のものが折曲部２７の上面に、そして折曲部２６の下方のものが折曲部２７の下面に重合するように重ね合わせて集束させることも可能である（（Ｃ）図の状態）。
【００３８】
この重ね合わせの態様は自由であるが、このように折曲部２６、２７が重ね合わされることによって、被覆部２３、２３同士の集束がより密接となり、隙間が生じなくなるのである。
これによって、被覆片２３はボルトの頭部をより完全に被覆することができ、ボルトが緩んだ際は、直ぐにそのボルト１０の頭部１３の表面の着色部を視認することができることとなるのである。
【００３９】
図５は、本発明の締着具に係る第４の実施形態に係る締着具の締着状態の平面図である。
この締着具も、前記第１の実施形態に係る締着具と同様に、図には現れていないボルトと、ナット１２と、ワッシャ２０とから成るものである。
ここで使用するワッシャ２０は、上記第１実施形態の締着具において使用されたものと同様のものであり、このワッシャにおいて、４つのそれぞれの被覆片２３の先端部を底面部の各辺とほぼ略平行に切り欠いた切欠部２３ｋを有するものである。
【００４０】
これら切欠部２３ｋは、ボルト・ナット１２が締着されて４つの被覆片２３が集束した際に、平面視略正方形を呈して、略正方形の穴部を形成する。
この略正方形の穴部からボルトの軸部１１がワッシャ２０の外部に突出することができるのである。
そして、ナット１２の図面手前側の面には、着色が施されており、締着が緩んでくると被覆片２３の集束が開き、ナット１２の着色部分の面積がより大きくなって、螺子の緩みを視認することができるのである。
【００４１】
尚、この第４実施形態においては、被覆片が完全に集束した場合でも、ナット１２の着色面が多少外部から見えるのであるが、その見える着色部分がより大きくなることにより螺子の緩みを確認することができるものである。
このように、本発明においては、ワッシャは、ナットの側に配置した締着具として実施することもでき、更には、植設ボルト等に使用する際は、ナットとワッシャとの組合せに係る締着具として実施することもでき、また、ワッシャはボルトの下面と、ナットの側の下面の両方に配置することもでき、この場合には、ボルト・ナットの螺子と２つのワッシャとの組合せに係る締着具として実施することができるのである。
【００４２】
図６は、本発明の締着具に係る第５の実施形態を示しており、その（Ａ）が締着中間状態の平面図、その（Ｂ）が締着完了状態の正面図、その（Ｃ）が締着完了状態の平面図である。
この第５実施形態は、前記第４の実施形態と同様に、ナット１２の側にワッシャ２０を配置してナット１２を被覆するものである。
【００４３】
そしてワッシャ２０の形状は、前記第３の実施形態（図４）の被覆片の折曲部を設けずに、その被覆片２３の先端部に略矩形形状の切欠部を２３ｋ、２３ｋを設けたものである。
これにより、締着部材であるボルト１０、ナット１２を締め付けることによって、ワッシャ２０の底面部２１が押圧されて、２つの対向する被覆片２３、２３がそれぞれナットの側に傾倒し、相互に集束して、ナット１２を被覆する。
その際に、切欠部２３ｋ、２３ｋの存在により、ボルト１０の軸部１１を回避して被覆片２３、２３の先端部が相互に集束して、ナット１２を被覆できる。
【００４４】
この実施形態においても、前記第４実施形態と同様に、ワッシャ２０の被覆片２３がナット１２をほぼ完全に被覆した状態でも、着色が施されたナット１２の表面１４が少し見える状態となる（（Ｃ）図）。
従って、この第５実施形態においても、前記第４実施形態と同様に、この着色部分の見える範囲の大きさによって、螺子の締着の緩みを確認し、検知することができるものである。
【００４５】
図７は、本発明の締着具に係る第６の実施形態を示しており、その（Ａ）が締着中間状態の平面図、その（Ｂ）が締着完了状態の正面図、その（Ｃ）が締着完了状態の平面図である。
この第６実施形態は、前記第５の実施形態と同様で、ナット１２の側にワッシャ２０を配置してナット１２を被覆するものである。
【００４６】
そしてここで使用するワッシャは、前記第５の実施形態（図６）に係るワッシャの被覆片の切欠部の形状と位置を異ならせたものである。
即ち、この第６実施形態においては、２つの対向する被覆片２３、２３の先端部中央に略対称形の円弧状の切欠部２３ｋ、２３ｋを設けたものである。
これにより、締着部であるボルト１０、ナット１２を締め付けることによって、ワッシャ２０の底面部２１が押圧されて、２つの対向する被覆片２３、２３がナットの側に傾倒し、集束して、ナット１２を被覆する。
その際に、切欠部２３ｋ、２３ｋの存在により、ボルト１０の軸部１１を回避して被覆片２３、２３の先端部が相互に集束して、ナット１２を被覆することができるのである。
【００４７】
この実施形態においても、前記第５実施形態と同様に、ワッシャ２０の被覆片２３がナット１２をほぼ完全に被覆した状態でも、着色が施されたナット１２の表面１４が少し見える状態となる（（Ｃ）図）。
従って、この第６実施形態においても、前記第５実施形態と同様に、この着色部分の見える範囲の大きさによって、螺子の締着の緩みを確認し、検知することができるものである。
【００４８】
以上、実施形態について説明したが、本発明においては以下の通り各種設計変更が可能である。
まず、本発明は、ワッシャ、又は、ワッシャと螺子とを組合せた締着具に係るものであり、その締着具においては、ボルト・ナットとワッシャ、ボルトとワッシャ、又はナットとワッシャとの組合せに係る１組の締着具であり、螺子とワッシャとの各種の組合せに係るものである。
そして、その特徴部分は、ワッシャの形状、或いは、ボルト頭部表面又はナットの一方の表面に施された着色部分であって、その他の構成は各種自由に設計変更が可能なものである。
【００４９】
ボルト頭部表面又はナットの一方の面に施される着色は、如何なる方法によるかを問わない。
各種塗料の焼付け塗装であってもよいし、直接塗布でもよく、或いは、一方の面が着色されたシールを貼着するものであってもよいものである。
ワッシャの形状も全く自由に設計することができ、被覆片の数も最低１つあればよく、或いは２以上であってもよく、上記実施形態のように、１枚、２枚又は４枚に拘わらず、これを３枚、６枚、８枚等々と設計変更することができる。
被覆片の形状も略矩形形状、三角形形状以外の形状とすることもできるし、底面部の形状も自由に設計することができる。
【００５０】
前記第３の実施形態に係る締着具におけるワッシャにおいて、被覆片に設けた折曲部もそれぞれ２つずつでなくともよく、それぞれ１つずつ被覆片に設けたものであってもよいのである。
ワッシャの底面部と被覆片を接続する接続部の形状も自由であり、湾曲部以外に単なる折り返し部であってもよく、要はこの接続部の形状により、ワッシャの変形前の形状が、その底面部を下にして平面上に置いた際に所定の高さを維持して上方に配置され、この底面部が螺子の締め付けによって押圧された際に、被覆部がボルト頭部又はナット等を被覆する方向に傾倒できるものであればよいのである。
【００５１】
また、被覆片に設ける切欠部の形状も適宜自由に設計変更することができる。
螺子の種類も自由であり、頭部が６角の６角ボルト以外の４角ボルト等でもよく、その他各種の螺子であってもよい。
ナットについても現在存在する各種のナットを使用することができる。
以上、本発明は、ワッシャの形状とその弾性変形、或いは、螺子頭部表面に施された着色により、容易に螺子の緩みを検知できるワッシャ及び締着具を提供することができた。
【符号の説明】
【００５２】
１０  ボルト
１１  軸部（ボルトの）
１３  頭部（ボルトの）
１４  表面（ナットの）
２０  ワッシャ
２１  底面部
２２  接続部
２３  被覆片
２３ｋ  切欠部
２５  貫通穴
２６、２７  折曲部
【図１】
2012047215.tif 000003
【図２】
2012047215.tif 000004
【図３】
2012047215.tif 000005
【図４】
2012047215.tif 000006
【図５】
2012047215.tif 000007
【図６】
2012047215.tif 000008
【図７】
2012047215.tif 000009